(57)【要約】   海賊行為対策として保護および確認を行うための方法、装置、およびシステムは、スクリーン上に画像フレームを映写するように構成された第１の映写機を含む。フィードバック装置は、複数の連続した画像を記録する。画像分析モジュールは、記録されたフレームの各画像特性を分析し、変調器は、各画像フレームと同時に映写されるサンプリング対策システムのコンテンツを作成する。映写されたサンプリング対策システムのコンテンツは、人間の眼には、実質的に見えないが、ビデオカメラなどのサンプリング・システムにより検出されるものである。従って、保護された画像コンテンツが海賊行為により記録されたものは実用的でなくなる。第１の映写機には、予期されたコンテンツと記録されたコンテンツとをリアルタイムで比較するセキュリティ・プロセッサを含めることができる。記録されたコンテンツが予期されたコンテンツと一致しない場合にスクリーン上へのコンテンツの映写を無効化する有効化／無効化モジュールが設けられる。
2011508986.tif 000002
【特許請求の範囲】
【請求項１】
映写されたオリジナルの画像コンテンツの少なくとも一部から、前記オリジナルの画像コンテンツと同時に映写されるのに適した、人間の眼には見えないが、サンプリング装置によって記録された場合には、前記オリジナルの画像コンテンツの画像品質が損なわれるようにする、サンプリング対策コンテンツを決定するステップと、
前記サンプリング対策コンテンツを前記オリジナルの画像コンテンツと同時に映写するステップと、
前記同時に映写されたコンテンツをキャプチャして、当該キャプチャされたコンテンツ内に前記サンプリング対策コンテンツが存在することを確認するステップと、を含む、
ビデオカメラ対策コンテンツの提供および確認を行う方法。
【請求項２】
前記オリジナルの画像コンテンツの複数の連続的なフレームがキャプチャされ、前記キャプチャされたフレームの各画像特性が分析されて、前記適したサンプリング対策コンテンツが決定される、請求項１に記載の方法。
【請求項３】
前記キャプチャされたフレームの各画像特性は、平均輝度、変動性、およびカラー・コンテンツの少なくとも１つを含む、請求項２に記載の方法。
【請求項４】
前記サンプリング対策コンテンツは、前記オリジナルの画像コンテンツの一部の上にのみ映写される、請求項１に記載の方法。
【請求項５】
前記サンプリング対策コンテンツは、変調された可視光を含む、請求項１に記載の方法。
【請求項６】
前記変調された可視光は、１２０Ｈｚ〜１５０Ｈｚの間のレートで時間的に変調された光を含む、請求項５に記載の方法。
【請求項７】
前記サンプリング対策コンテンツと共にセキュリティ・データを映写するステップと、  キャプチャされたセキュリティ・データが前記映写されたセキュリティ・データと一致するかどうかを判定するステップと、をさらに含む、請求項１に記載の方法。
【請求項８】
前記キャプチャされたコンテンツ内に前記サンプリング対策コンテンツが存在することが確認されなかった場合に、前記オリジナルの画像コンテンツの前記映写が無効化される、請求項１に記載の方法。
【請求項９】
映写されたオリジナルの画像コンテンツの少なくとも一部をキャプチャするように構成されたコンテンツ・キャプチャ装置と、
前記映写されたオリジナルの画像コンテンツの少なくとも一部から、前記オリジナルの画像コンテンツと同時に映写されるのに適した、人間の眼には見えないが、サンプリング装置によって記録された場合には、前記オリジナルの画像コンテンツの画像品質が損なわれるようにする、サンプリング対策コンテンツを決定する制御ユニットと、
前記サンプリング対策コンテンツを前記オリジナルの画像コンテンツと同時に映写する映写機と、を含み、
前記コンテンツ・キャプチャ装置は、前記同時に映写されたコンテンツをキャプチャして当該キャプチャされたコンテンツ内に前記サンプリング対策コンテンツが存在することを前記制御ユニットにより確認する、海賊行為対策保護システム。
【請求項１０】
前記制御ユニットは、前記オリジナルの画像コンテンツの映写源に動作可能に結合され、前記キャプチャされたコンテンツ内に前記サンプリング対策コンテンツが存在することが確認されなかった場合に、前記オリジナルの画像コンテンツの前記映写が無効化される、請求項９に記載のシステム。
【請求項１１】
前記映写源は、前記オリジナルの画像コンテンツの前記キャプチャされた部分が予期されたコンテンツに一致しない場合に、前記オリジナルのコンテンツの前記映写を無効化するように構成されたディスプレイ有効化／無効化モジュールを含む、請求項１０に記載のシステム。
【請求項１２】
前記コンテンツ・キャプチャ装置は、サンプリング装置を含む、請求項９に記載のシステム。
【請求項１３】
前記コンテンツ・キャプチャ装置は、可視光カメラを含む、請求項９に記載のシステム。
【請求項１４】
前記映写機は、前記サンプリング対策コンテンツを前記オリジナルの画像コンテンツと同時に映写する第１の映写機を含み、第２の映写機が前記オリジナルの画像コンテンツを映写することに使用される、請求項９に記載のシステム。
【請求項１５】
前記映写機は、前記オリジナルの画像コンテンツと前記サンプリング対策コンテンツとを同時に映写するための単一の映写機からなる、請求項９に記載のシステム。
【請求項１６】
前記制御ユニットは、前記映写機内に組み込まれたユニットである、請求項９に記載のシステム。
【請求項１７】
前記キャプチャされたコンテンツの中に前記サンプリング対策コンテンツの存在が確認されない場合に、前記オリジナルの画像コンテンツの前記映写を無効化する有効化／無効化ユニットをさらに含む、請求項９に記載のシステム。
【請求項１８】
前記サンプリング対策コンテンツと共に映写されるべきセキュリティ・データを生成するセキュリティ・データ・ユニットをさらに含む、請求項９に記載のシステム。
【請求項１９】
前記コンテンツ・キャプチャ装置は、前記キャプチャされたオリジナルの画像コンテンツを暗号化する暗号化器をさらに含む、請求項９に記載のシステム。
【請求項２０】
前記映写機は、前記スクリーン上に映写する信号を発生するフィルタ発生器モジュールを含む、請求項１９に記載のシステム。
【請求項２１】
前記コンテンツ・キャプチャ装置は、前記フィルタ発生器モジュールによって生成された前記信号を検出するフィルタ検出器モジュールをさらに含む、請求項２０に記載のシステム。
【請求項２２】
映写されたオリジナルの画像コンテンツの各画像特性を判定および分析する画像分析器と、
前記オリジナルの画像コンテンツの判定および分析された各画像特性を少なくとも使用して、前記オリジナルの画像コンテンツと同時に映写されるのに適した、人間の眼には見えないが、サンプリング装置によって記録された場合には、前記オリジナルの画像コンテンツの画像品質が損なわれるようにする、サンプリング対策コンテンツを決定する変調器と、を含む、海賊行為対策制御ユニット。
【請求項２３】
前記決定されたサンプリング対策コンテンツは、当該サンプリング対策コンテンツを前記オリジナルの画像コンテンツと同時に映写する映写機に通信される、請求項２２に記載の海賊行為対策制御ユニット。
【請求項２４】
前記サンプリング対策コンテンツは、前記オリジナルの画像コンテンツの各画像の全体でない部分の上に映写される、請求項２２に記載の海賊行為対策制御ユニット。
【請求項２５】
前記各画像特性は、少なくとも平均輝度、変動性、およびカラー・コンテンツの少なくとも１つを含む、請求項２２に記載の海賊行為対策制御ユニット。
【請求項２６】
前記サンプリング対策コンテンツは、前記オリジナルの画像コンテンツの各画像フレーム上にリアルタイムに映写される、請求項２２に記載の海賊行為対策制御ユニット。
【請求項２７】
前記サンプリング対策コンテンツは、変調された可視光を含む、請求項２２に記載の海賊行為対策制御ユニット。
【発明の詳細な説明】
【技術分野】
【０００１】
本発明は、一般的には、コンテンツのセキュリティに関し、より具体的には、例えば、フィルム映画やディジタル・メディアに対する海賊行為対策の目的で、ビデオカメラ対策コンテンツの提供および確認を行う方法、装置、およびシステムに関する。
【背景技術】
【０００２】
海賊行為は、動画コンテンツの劇場での上映に関わる問題が良く知られている。例えば、通常の映画の上映において、劇場内で観客が、例えば、手持ちのビデオカメラ（カムコーダ）を使用して、映画をこっそりと録画するような場合がある。現在、不正な録画によるコンテンツの海賊行為により逸失した収入は、３０億ドルにもなると推定される。
【０００３】
コンテンツを保護するための幾つかの現行の方法として、１）近赤外線スペクトル内のパターンを伝送すること、２）ディジタル・シネマの映写機用のコンテンツを改変して、可視光によるビデオカメラ対策法を実施すること、が挙げられる。近赤外線の方法の利点は、表示に無関係なことであるが、ビデオカメラ用の特別な近赤外線フィルタにより、この技術の効果が失われる可能性があると推測される。
【０００４】
ディジタル・シネマのコンテンツの改変に関しては、この技術に打ち勝つことができるような静的なフィルタは存在しないであろうが、この技術を実施するために必要な実効フレーム・レートは、１００Ｈｚを超える（標準的なシネマのコンテンツに必要な最小の２４Ｈｚまたは４８Ｈｚを大幅に超える）ことが推定され、大幅に複雑になることから、ビデオカメラ対策の方法を実施できるようにするためには、高価な映写機が必要となるであろう。さらに、この方法がフィルム映画（非ディジタル）コンテンツを保護するものではないことは、明らかであろう。
【０００５】
映画コンテンツ（フィルムとディジタル）の両方を保護するためのシステムの一例は、例えば、米国特許第６，５５９，８８３号に記載されているもののような、スクリーンに対して近赤外線画像を伝送する方法である。近赤外線は、ビデオカメラ装置によって感知することができるが、裸眼では見ることはできない。さらに、海賊行為対策システムの強化およびレポートを支援するためにビデオカメラ対策システムを使用中であるかどうかを感知し、その結果をレポートするセンサを含む赤外線センサを含むシステムが提案されている（例えば、米国特許第６，７７１，３４９号を参照）。このシステムは、映写の方法とは無関係であるが、その弱点は、近赤外線の伝送に依存することにある。そのため、特別な近赤外線フィルタが使用されると、コンテンツ保護に必要となる効果をこの技術で得ることができなくなる可能性があると推測される。
【０００６】
ディジタル・シネマの映写機向けのコンテンツを改変する第２の方法は、ビデオカメラのシステムとは異なり、人間の眼がサンプリングを行うシステムではないという事実に基づいている。従って、標準の２４Ｈｚ以外でフレームを伝送することによりエイリアシングを利用して、裸眼では見ることができないビデオカメラの通過帯域で様々な拍動パターン（ｂｅａｔｉｎｇ  ｐａｔｔｅｒｎｓ）を生じさせることができる。可視信号の輝度（ｌｕｍａ）を変調することに加え、可視信号の色度（ｃｈｒｏｍａ）を変調することもできるが、それでも依然として見えないようにすることができる。この方法の利点は、所望しない信号を取り除き、システムに打ち勝つための静的なフィルタを使用することができないことである。しかしながら、この方法には、幾つかの難点がある。第１の問題（主な問題）は、このシステムの実施に、設計上の公称条件をはるかに超えた映写機の構築が必要となり、映写機のコストが莫大なものとなる点である。例えば、このようなビデオカメラ対策用の映写機は、１００Ｈｚを大幅に超えるフレーム・レートを発生させる機能を有することが必要であり、これは、公称条件において要求されるものの３倍を超えている。さらに、映写機のフレーム・レートの制約を考慮すると、１秒の１／１５の平滑化フィルタにより、機器に多大な構築コストを要するのにも関わらず、保護されたコンテンツが実用的なものとはならなくなる可能性がある。
【０００７】
さらに、映画の劇場における不正なコピーを思い止まらせるように、今日、多くのビデオカメラ対策や透かしのシステムが設計されているが、このような技術の多くに付随する主な問題は、劇場における上映の間にスクリーンに実際に現れる、意図されたビデオカメラ対策としての保護（プロテクション）の確認が行われていない点である。実際、ディジタル・シネマの大抵のセキュリティ技術は、映写機側に置かれるものである。光が映写機を離れた際に、セキュリティ技術の成功を確認したり、監視したりするようなフィードバックは存在しない。これは、大きな欠陥である。なぜならば、セキュリティ・システムに対する不正行為は、コンテンツが劇場内に到着する前か、或いは、コンテンツの上映後に行われる可能性があるからである。提案されているシステムの幾つかは、劇場の職員により、公正を維持しようとするものであるが、これには、問題が生ずることがある。劇場のスタッフの人員の数は、最小限にされている場合が多いので、スクリーン、劇場の全てで常時監視を行うことはできない。
【０００８】
例えば、ビデオカメラ対策コンテンツを提供する複数の映写機を用いたシステムは、単に、ビデオカメラ対策コンテンツを提供する追加の映写機をオフにすることによって、打ち破られる。フリッカを追加するために機械的なシャッタを使用する技術もまた、シャッタを駆動するモータをオフにするか、シャッタを機械的に動かして映写された光から離間するように打ち破られる。
【０００９】
従って、映画コンテンツに対する不正な海賊行為を阻止すると共に、ビデオカメラ対策としての保護（プロテクション）のリアルタイムな監視、確認を行って、例えば、近赤外線およびディジタル・コンテンツの変調における制約と欠点を回避するような方法、装置、およびシステムに対する需要が高い。
【発明の概要】
【００１０】
本発明の各態様は、例えば、映画コンテンツに対する不正な海賊行為を阻止すると共に、海賊行為対策としての保護のリアルタイムな監視、確認を行うことにより、従来技術の様々な欠点を克服するものである。本明細書に記載する本発明の実施の形態の様々な態様は、（フィルム映画、ディジタル・シネマなど）の映写技術のようなコンテンツ配信技術の全てにおいて有用であり、近赤外線に対して脆弱なものではなく、コンテンツについての詳しい事前知識を要するものではない。
【００１１】
本発明の原理に係る一態様においては、具体的には、公然とビデオ・コンテンツが表示（上映）される劇場や他の環境における海賊行為対策としての保護のための方法、装置、およびシステムが提供される。即ち、本発明の様々な態様においては、メインの上映作品（映画）のコンテンツと同時にサンプリング対策システムのコンテンツを映写する第２の映写機が設けられる。第２の映写機が上映作品の領域および／または各画像内の一部で動作していることを確認するフィードバック装置（例えば、可視光カメラ）が設けられ、サンプリング対策システムのコンテンツは、実質的には肉眼では見えないが、依然として、映画の上映の間、ビデオカメラ（カムコーダ）やその他のビデオ記録装置による有用なビデオ・シーケンスの記録（録画）を阻止するのに効果的である。
【００１２】
さらに、本発明の様々な態様によれば、リアルタイムに映写されたコンテンツを見て、映写されたコンテンツに適用されるように意図されたビデオカメラ対策コンテンツが実際にスクリーンに存在することを確認するために、自動化された、リアルタイムな監視および確認を行うシステムが提供される。例えば、一実施の形態においては、セキュリティ・プロセッサおよびフィードバック装置（カメラ）を利用して、スクリーン上に上映される画像コンテンツをリアルタイムにテストして、意図されたセキュリティ・コンテンツが実際にスクリーン上に存在することを確認する不正行為対策システムが提供される。このフィードバック・メカニズムを使用して、セキュリティ・システムに対する不正行為が行われていることを、例えば、劇場の所有者に警告し、コンテンツの映写機をオフにしてコンテンツの再生を中断することができる。
【００１３】
本発明の一態様においては、ビデオカメラ対策コンテンツの提供および確認を行う方法は、映写されたオリジナルの画像コンテンツの少なくとも一部から、オリジナルの画像コンテンツと同時に映写されるのに適した、人間の眼には見えないが、サンプリング装置によって記録された場合には、オリジナルの画像コンテンツの画像品質が損なわれるようにする、サンプリング対策コンテンツを決定するステップと、サンプリング対策コンテンツをオリジナルの画像コンテンツと同時に映写するステップと、同時に映写されたコンテンツをキャプチャしてこのキャプチャされたコンテンツ内にサンプリング対策コンテンツが存在することを確認するステップと、を含む。
【００１４】
本発明の代替的な態様においては、海賊行為対策保護コンテンツの提供および確認を行うシステムは、映写されたオリジナルの画像コンテンツの少なくとも一部をキャプチャするように構成されるコンテンツ・キャプチャ装置と、映写されたオリジナルの画像コンテンツの少なくとも一部から、オリジナルの画像コンテンツと同時に映写されるのに適した、人間の眼には見えないが、サンプリング装置によって記録された場合には、オリジナルの画像コンテンツの画像品質が損なわれるようにする、サンプリング対策コンテンツを決定する制御ユニットと、サンプリング対策コンテンツをオリジナルの画像コンテンツと同時に映写する映写機と、を含み、コンテンツ・キャプチャ装置は、同時に映写されたコンテンツをキャプチャしてこのキャプチャされたコンテンツ内にサンプリング対策コンテンツが存在することを制御ユニットにより確認する。
【００１５】
本発明の代替的な態様においては、上述したシステムの海賊行為対策制御ユニットは、映写されたオリジナルの画像コンテンツの各画像特性を判定および分析する画像分析器と、オリジナルの画像コンテンツの判定および分析された各画像特性を少なくとも使用して、オリジナルの画像コンテンツと同時に映写されるのに適した、人間の眼には見えないが、サンプリング装置によって記録された場合には、オリジナルの画像コンテンツの画像品質が損なわれるようにする、サンプリング対策コンテンツを決定する変調器と、を含む。
【００１６】
本発明の開示内容は、添付の図面と併せて以下の詳細な説明を考慮することによって容易に理解することができるであろう。
【図面の簡単な説明】
【００１７】
【図１】本発明の実施の形態に係る海賊行為対策として保護および確認を行うシステムのハイレベル・ブロック図である。
【図２】本発明の実施の形態に係るサンプリング・システムから見たビデオカメラ対策コンテンツを有する画像を例示的に示す図である。
【図３】本発明の実施の形態に係るビデオカメラ対策システムの様々なコンポーネントによって映写される各画像を例示的に示す図である。
【図４】本発明の実施の形態に係るビデオカメラ対策システムを提供する方法のフローチャートである。
【図５】本発明の実施の形態に係る海賊行為対策コンテンツの提供および確認を行うシステムのハイレベル・ブロック図である。
【図６】本発明の代替的な実施の形態に係る海賊行為対策として保護および確認を行うシステムのハイレベル・ブロック図である。
【図７】本発明の実施の形態に係る図６のシステムをより詳細に描いた図である。
【図８】本発明の実施の形態に係る海賊行為対策コンテンツをリアルタイムに提供および確認する方法のフローチャートである。
【発明を実施するための形態】
【００１８】
各図面は、本発明のコンセプトを例示的に示すためのものであり、本発明に想定される構成は、必ずしも図面に示されたものだけではない。理解を助けるために、各図面に共通な、同一の要素を示すために、可能な箇所では、同一の参照符号を使用している。
【００１９】
本発明の実施の形態は、海賊行為対策として保護および確認を行う方法、装置、およびシステムを有益に提供する。本発明は、主に、特定の海賊行為対策として保護および確認を行うシステムおよび装置との関連で説明されるが、本発明の特定の実施の形態は、本発明の範囲を限定するように取り扱われるべきではない。本発明の開示内容の情報を得た当業者であれば、本発明のコンセプトが、海賊行為対策として保護および確認を行うための実質的にどのようなコンテンツの配信および表示環境にも有益に適用できることが理解できるであろう。
【００２０】
各図面において示される様々な要素の機能は、専用のハードウエアの使用により提供されてもよく、適切なソフトウエアに関連付けられた、ソフトウエアを実行可能なハードウエアの使用によって提供されてもよい。機能がプロセッサによって提供される場合にも、単一の専用プロセッサによって提供されてもよく、単一の共有プロセッサによって提供されてもよく、複数の別個のプロセッサによって提供されてもよく、幾つかのプロセッサが共有されていてもよい。さらに、用語「プロセッサ」または「コントローラ」を明示的に使用した場合であっても、ソフトウエアを実行することが可能なハードウエアのみを意味するように解釈されるべきではなく、限定するものではないが、ディジタル信号プロセッサ（ＤＳＰ：  ｄｉｇｉｔａｌ  ｓｉｇｎａｌ  ｐｒｏｃｅｓｓｏｒ）・ハードウエア、ソフトウエアを格納する読み出し専用メモリ（ＲＯＭ：  ｒｅａｄ‐ｏｎｌｙ  ｍｅｍｏｒｙ）、ランダム・アクセス・メモリ（ＲＡＭ：  ｒａｎｄｏｍ  ａｃｃｅｓｓ  ｍｅｍｏｒｙ）、および不揮発性の記憶装置を黙示的に含むことがある。また、本明細書における本発明の原理、態様、および、実施の形態についての全ての記載、さらに、その特定の例は、構造的な均等物と機能的な均等物の双方を含むように意図したものである。さらに、このような均等物は、現在公知の均等物だけでなく、将来において開発される均等物（即ち、構造に係らず、同一の機能を実行するように開発された全ての要素）を包むように意図されている。
【００２１】
従って、例えば、当業者であれば、本明細書において示されたブロック図は、本願の原理を実施する例示的なシステムのコンポーネントおよび／または回路の概念図であることが理解できよう。同様に、フローチャート、フロー図、状態遷移図、擬似コードなどは、いずれも様々な処理を表す。これらの処理は、コンピュータによって読み取り可能なメディアにおいて実質的に記述することができ、コンピュータまたはプロセッサにより実行され、このようなコンピュータまたはプロセッサがはっきりと図示されているかどうかに係るものではない。
【００２２】
本発明の様々な実施の形態に従って、公然とビデオ・コンテンツが表示（上映）される劇場や他の環境における、例えば、フィルム映画およびディジタル・メディアに対する海賊行為対策の目的で、サンプリング対策コンテンツを提供および確認する方法、装置、およびシステムについて説明する。本発明の様々な実施の形態においては、メインの上映作品（映画）のコンテンツにサンプリング対策システムのコンテンツが適用される。上映作品の領域内、さらに、各画像内の一部でサンプリング対策コンテンツが動作することを確認するフィードバック装置（例えば、可視光カメラが）設けられる。サンプリング対策コンテンツは、実質的に肉眼では見ることができないが、依然として、映画の上映の間、ビデオカメラ（カムコーダ）や他のビデオカメラ装置による有用なビデオ・シーケンスの記録（録画）を阻止するのに効果的である。
【００２３】
リアルタイムで映画を見て、スクリーンに対して適用されるように意図されたビデオカメラ対策コンテンツが実際にスクリーンに映写されているかどうかを確認する、自動化された、リアルタイムな監視および確認を行うシステムが提供される。さらに、本発明の様々な実施の形態においては、意図されたセキュリティ・コンテンツがスクリーン上に適切に実際に現れることを確認するために、スクリーン上で上映される画像コンテンツをリアルタイムにテストする不正行為対策システムを提供するために、セキュリティ・プロセッサおよびフィードバック装置（カメラ）が利用される。フィードバック・メカニズムを使用して、システムに対する不正行為が行われていることを劇場の所有者に警告し、さらに／または、コンテンツを自動的に無効にし、コンテンツのソースの表示を中止することができる。
【００２４】
図１は、本発明の実施の形態に係る海賊行為対策として保護および確認を行うシステムのブロック図である。本発明の様々な実施の形態に従って、本発明の海賊行為対策としての保護および確認を行うシステムは、従来のフィルム映画用の映写機、および／または、ディジタル・シネマ用の映写システムの各コンポーネントを含めることができる。例えば、図１の海賊行為対策として保護および確認を行うシステムは、例示的には、画像コンテンツ（例えば、映画画像）をスクリーン１１１に（即ち、座席エリア１０９を横切って）映写するための第１の、すなわちメインの映写機１０１を含む。
【００２５】
図１に描かれた本発明の実施の形態においては、フィードバック装置１０３（例えば、可視光カメラ）は、制御ユニット１０２と通信する。フィードバック装置１０３は、映写された画像の複数の連続的なフレームを記録して、制御ユニット１０２と通信する。図１のシステムにおいて、図１の制御ユニット１０２は、例示的には、例えば、本明細書に記載された各処理ステップを実行するように構成されたソフトウエアを記憶するためのメモリ１０４と、各画像特性（例えば、各フレームの平均輝度、光線レベル、変動性（ｖａｒｉａｂｉｌｉｔｙ）、カラー・コンテンツなど）を判定し、サンプリング対策システムのコンテンツが加えられる各画像の理想部分を判定するための画像分析器１０６と、オリジナルの画像コンテンツの選択された領域を変調されたものを含むビデオ・フィードを第２の映写機１０５に提供する変調器１０８とを含む。制御ユニット１０２は、別個のコンピュータを含めることができ、さらに／または、制御ユニット１０２をカメラ装置１０３の内部に含めることもできる。
【００２６】
所与の映画、または、上映作品において、本発明の様々な実施の形態に従って変調される連続的なフレームの全体の数／割合は、好ましくは、海賊行為／ビデオカメラによって記録された映画が使用できなくなるのに十分なフレーム数に調節することができる。改変されるフレームの所望の量は、当業者により、容易に決定することができる。例えば、本発明の一実施の形態においては、最適な効果を得るために、映画の合計フレーム数の少なくとも３０％が擬似変調される。
【００２７】
本明細書において使用される用語「サンプリング対策システムのコンテンツ」は、例えば、ビデオカメラや他のビデオ・サンプリング・システムによる企てを阻止するために使用されるコンテンツを含む。本発明の実施の形態によれば、制御ユニット１０２による複数のフレームの分析に基づいて、適切なサンプリング対策システムのコンテンツが適用される。従って、本発明の様々な実施の形態においては、各画像に対して「カスタマイズ」されたサンプリング対策システムのコンテンツが有益に提供され、適用される。
【００２８】
本発明の様々な実施の形態に従ってサンプリング対策システムのコンテンツを追加するのに理想的なシーンには、最小限の動き／動作を有する静的なシーンが含まれることがある。このようなシーンは、海賊行為による記録に対する所望の拒否効果を最大にする一方で、サンプリング対策システムのコンテンツ（例えば、ちらつきや点滅など）が、人間である視聴者によって視認されてしまう所望しない副作用が発生する可能性を低減させる。所与の映画／上映作品において、大抵のシーンは、少なくとも数秒は静的なものであるため、（また、大抵の映画フレームは、例えば、２４Ｈｚ、即ち、毎秒２４フレームの標準レートで伝送されるため、）例えば、フィードバック・カメラ１０３によって３つ、または、４つの連続するフレームを分析するのみで、所与のシーンのための適切で効果的なサンプリング対策システムの画像を生成するのに十分な時間が与えられるであろう。
【００２９】
図１の実施の形態においては、第２の映写機１０５がフィードバック装置１０３および／または制御ユニット１０２に対して動作可能に接続され、このフィードバック装置１０３および／または制御ユニット１０２と通信するように設けられる。第２の映写機１０５は、所望のサンプリング対策システムのコンテンツをリアルタイムでフレームの各画像の部分に映写するように構成される。例えば、本発明の様々な実施の形態においては、サンプリング対策コンテンツには、ルマ（輝度情報を表す量）やクロマ（色情報を表す量）などの変調された可視光であり、人間の裸眼では実質的には見ることのできない時間的、および／または空間的に変調された光であるが、ビデオカメラなどのサンプリング・システムによって記録されたものの上では容易に検出されるようなものを含めることができる。
【００３０】
好ましくは、映画などのコンテンツに追加されるサンプリング対策コンテンツは「カスタマイズ」され、一実施の形態においては、ビデオカメラによる再生を思い止まらせるのに必要な最小限の量／レベルに過ぎず、人間である視聴者には実質的に見えないような、変調された可視光が第２の映写機１０５を介して各画像上に映写されるようにする。例えば、付加光のレベルを低く維持するために、選択されたシーケンスのあらゆる画像のあらゆる領域が「擬似変調される（ｐｓｅｕｄｏ‐ｍｏｄｕｌａｔｅｄ）」（付加変調された可視光で映写／出力される）ものではない。即ち、スクリーンの特定の部分（例えば、一実施の形態においては、ランダムな部分）のみに影響が及ぼされる。画像の各部分（ビデオカメラによる不正な複製を思い止まらせるのに十分な、例えば、全体ではない部分）が、例えば、より高周波数の可視光で擬似変調される。高いフレーム・レートの部分が存在しても、オリジナルの画像に完全なピクチャ解像度が必要とはならないことにより、バランスが取られる。これにより、時間帯域幅が現行の製造方法の枠組みの中に十分に維持されるため、高解像度／高フレーム・レートのディジタル・シネマ映写機が必要でなくなる。さらに、オリジナルの画像のディジタル・コンテンツには、どのようにも改変がなされず、劇場に対して、本発明の各態様に係る物理的なセキュリティ技術（例えば、メタル検出器、ビデオカメラ動作検出器など）のような、追加的な／代替的なビデオカメラ対策法を利用する選択肢が与えられる。
【００３１】
本発明の様々な実施の形態によれば、サンプリング対策システムのコンテンツは、好ましくは、第２の映写機１０５から伝送される光を含み、これは、好ましくは、非常に高いレート（例えば、一実施の形態においては、約１２０Ｈｚから約１５０Ｈｚ）で時間変調され、本発明の様々な実施の形態においては、空間変調を含めることもできる。空間変調は、しかしながら、好ましくは、例えば、画面の高さの１／１００以下の比較的に低い変調期間で行われる。第２の映写機１０５から映写されたサンプリング対策システムのコンテンツ（例えば、約１２０Ｈｚのより高い周波数で伝送される可視光画像など）は、人間の眼には実質的に見えないが、信号処理において公知なエイリアシング現象により、依然として、どのようなサンプリング・システム（例えば、ビデオカメラ装置）によっても容易に検出されるという利点がある。本発明に従って映写されたサンプリング対策システムのコンテンツは、どのような映画の海賊行為による記録の際の周波数にも打ち勝ち、どのような海賊行為による記録物も、実用的なものではなくなる。
【００３２】
さらに、図１のシステムのフィードバック装置１０３は、システム全体のリアルタイムな評価およびチューニングを行うことを可能にし、所望の結果を得るために必要な、最小の実効量に近い付加変調光が利用され、保護されるコンテンツに映写されるようにする。
【００３３】
オプションとして、図１に描かれる本発明の様々な実施の形態においては、第２の映写機１０５からの変調されたコンテンツに追加したセキュリティ・データ（例えば、信号）を生成および送信するフィルタ発生器モジュール５２３をさらに設けることができ、さらに、追加のセキュリティ・データを復元および検出するフィルタ検出器モジュール５２１をフィードバック・カメラ１０３の近傍、または、フィードバック・カメラ１０３の一部として、設けることができる。モジュール５２１、５２３の詳細については、以下、図５を参照してさらに説明する。
【００３４】
図２は、本発明の実施の形態に係るサンプリング・システムによって見た、ビデオカメラ対策コンテンツを有する画像を例示的に描いた図である。例えば、図２に描かれたサンプリング対策システムのコンテンツは、どのような形状、構成、デザイン、文字等の変調済可視光を含めることもでき、好ましくは、サンプリングされた海賊行為による画像の記録を実用的ではないものにするのに十分なオリジナルの画像の量をカバーするが、依然として、人間の眼には実質的に検出できない。図２の例では、サンプリング対策システムのコンテンツ２０３は、オリジナルの画像２０１に映写される「ＰＩＲＡＴＥ（海賊版）」の文字を含む。
【００３５】
図３は、本発明の実施の形態に係るビデオカメラ対策システムの様々なコンポーネントにより映写される画像を例示的に描いた図である。図３の例においては、メインの映写機によって映写される画像３０１は、保護が望まれるコンテンツである。サンプリング対策システムのコンテンツ（例えば、変調された可視光画像）３０３は、第２の映写機によって映写される。観客３０５が見る画像においては、どのサンプリング対策システムのコンテンツも実質的に見ることはできない。画像は、オリジナルの改変されていない画像３０１と同じように見える。しかしながら、フィードバック・カメラが捉える画像３０７においては、変調されたサンプリング対策システムのコンテンツ３０３は、はっきりと見ることができる。
【００３６】
図４は、本発明の実施の形態に係るビデオカメラ対策システムを提供する方法のフローチャートである。この発明は、ステップ４０１で始まり、このステップ４０１では、第１の映写機がスクリーン（例えば、劇場のスクリーン）に各画像を映写する。次に、この方法は、ステップ４０３に進む。
【００３７】
ステップ４０３において、フィードバック・カメラによって記録された各画像の少なくとも複数の連続的なフレームが記録され、フィードバック装置の外部、または内部に設けられたプロセッサ／コンピュータに入力される。次に、この方法は、ステップ４０５に進む。
【００３８】
ステップ４０５において、入力画像の各特性（例えば、平均輝度／光レベル、カラー・コンテンツおよび／または、フレーム間の変動性や動きなど）が、例えば、プロセッサ／コンピュータ１０２によって判定される。次に、この方法は、ステップ４０７に進む。
【００３９】
ステップ４０７において、サンプリング対策システムのコンテンツが追加される画像の各々の領域（例えば、量および位置）が決定される。本発明の様々な実施の形態においては、各画像の特定の（「全体でない」）、または、ランダムな部分に影響が及ぼされる。次に、この方法は、ステップ４０９に進む。
【００４０】
ステップ４０９において、適切なサンプリング対策システムのコンテンツが作成され、分析された画像の各特性にカスタマイズされる。次に、この方法は、ステップ４１１に進む。
【００４１】
ステップ４１１において、サンプリング対策コンテンツは、第２の映写機に通信される。この第２の映写機は、例えば、サンプリング対策システムのコンテンツを、変調された可視光の形態で、例えば、リアルタイムに、各選択されたシーケンスにおける各画像の所望の部分に映写する。ここで、この方法は、終了する。
【００４２】
本発明の様々な実施の形態においては、図１の制御ユニット１０２のような、本発明の制御ユニットには、例えば、所定の光レベル、色などでの、所定の画像、文字、数字、デザイン、ロゴなどの形態でのサンプリング対策システムのコンテンツを格納するデータベース（図示せず）を含めることができる。本発明の一実施の形態においては、このようなデータベースは、制御ユニット１０２のメモリ１０４に含まれる。代替的な実施の形態においては、このようなデータベースには、ネットワーク（例えば、インターネット）を介してアクセス可能なサーバ上で外部的に提供されてもよい。しかしながら、上述したように、本発明の代替的な実施の形態においては、変調器１０８には、新たな、または、カスタマイズされたサンプリング対策システムのコンテンツを作成する機能を含めることができる。
【００４３】
図５は、本発明の実施の形態に係るサンプリング対策コンテンツの提供および確認を行うシステムのハイレベル・ブロック図である。即ち、図５は、ビデオカメラ対策コンテンツのセキュリティ確認のための複数の映写機を使用したシステムのハイレベル・ブロック図である。図５のシステムにおいて、ビデオ入力５０１は、メインの映写機５００の制御ユニット５０２と通信し、「通常の」処理を行って、スクリーン上に表示される画像コンテンツを提供する。図５の制御ユニット５０２は、例示的には、画像分析器５０９および変調器５１１を含む。処理されたコンテンツは、第２の映写機５０５によって映写されるビデオカメラ対策コンテンツ（例えば、変調）のタイプ／構造／レイアウトを決定するために、画像分析器５０９によって分析することができる。同時に、処理された画像コンテンツは、ディスプレイ有効化モジュール５１５に通信される。ディスプレイ有効化モジュール５１５は、以下に説明する確認処理の結果に依存して、スクリーン上への表示、映写を有効化、または、無効化する。監視されたサンプリング対策コンテンツが正しいものであると確認されると仮定すると、処理された画像コンテンツがモジュール５１５によって有効化され、視聴のためにスクリーン上に出力される（出力５２５）。
【００４４】
図５のシステムにおいては、変調器５１１は、画像分析器５０９と動作可能に結合され、通信しており、オリジナルの画像コンテンツを変調したもの、さらに、セキュリティ・プロセッサ５１３から画像分析器に入力されたキー５２７を使用した、特別なキーの暗号化により変調したものからなるビデオ・フィードを提供する。キー５２７は、キー無しでは生成も検出もできないような、キー暗号化により変調したものの生成、検出を容易にする、追加的なセキュリティ手段を提供する。
【００４５】
変調されたビデオカメラ対策コンテンツは、第２の映写機５０５に送信され、第２の映写機５０５は、オプションとして、セキュリティ・コンテンツをフィルタ発生器モジュール５２３に映写する。フィルタ発生器モジュール５２３には、第２の映写機が正確に動作し、所望の、予期されたビデオカメラ対策コンテンツを映写しているのことの追加のチェックとして別個の「見えない（ｉｎｖｉｓｉｂｌｅ）」チャネルまたは信号を生成するように構成された赤外線（ＩＲ）フィルタを含めることができる。モジュール５２３は、変調器５１１からの変調された信号を変更もしないし、ビデオカメラの動作を妨害するように意図した信号を発生させるものではない。図５のシステムにおいては、ビデオカメラ対策コンテンツは、第２の映写機５０５から出力され（出力５２４）、スクリーンに映写される画像コンテンツ５２５に映写される。
【００４６】
以下、図５に描かれた本発明の実施の形態に係る確認処理について説明する。フィードバック装置５０３は、リアルタイムでスクリーン上に表示されるコンテンツ（「記録されたコンテンツ」／「フィードバック画像」）の記録のために設けられる。「記録されたコンテンツ」には、スクリーン上に実際に表示されている画像コンテンツの、フィードバック装置によって作成される外部の映像記録物が含まれる。フィードバック画像／記録されたコンテンツは、コードが通過するスクリーンの隔離された部分を含んでいてもよく、代替的には、ピクチャ・コンテンツ全体を評価するためにスクリーン全体をカバーするものでもよい。
【００４７】
本発明の一実施の形態においては、フィードバック装置５０３には、単純なＵＳＢカメラを含めることができ、また、オプションのフィルタ発生器モジュール５２３によって作成されたチャネルや信号を検出するオプションのフィルタ検出器モジュール５２１を含めることができ、またさらに、記録されたコンテンツを暗号化する暗号化器５１９を含めることができる。図５のシステムにおいては、記録されたコンテンツがセキュリティ・プロセッサ５１３に通信され、セキュリティ・プロセッサ５１３では、復号器５１７を介して記録されたコンテンツが復号、分析され、予期されたコンテンツと比較される。セキュリティ・プロセッサ５１３は、海賊行為対策セキュリティがアクティブであり、予期されたパラメータに従っているかどうかを判定する。例えば、「予期されたコンテンツ」には、既知であり、システムによって画像コンテンツに適用されるように選択されたサンプリング対策コンテンツを含めることができる。決定の結果は、ディスプレイ有効化／無効化モジュール５１５に通信され、ディスプレイ有効化／無効化モジュール５１５は、これに応じ、記録されたコンテンツが予期されたコンテンツと一致するかどうかに依存して、画像コンテンツの表示を有効化、または、無効化する。例えば、有効化／無効化モジュール５１５は、記録されたコンテンツが予期されたコンテンツと一致しない場合にスクリーン上の画像コンテンツの映写を無効化するように構成される。
【００４８】
図６は、本発明の代替的な実施の形態に従った海賊行為対策として保護および確認を行うシステムのハイレベル・ブロック図を描いている。即ち、図６のシステムは、追加的または二次的な映写機およびフィルタが使用されない実施の形態を描いたものである。この代替的な実施の形態においては、座席エリア６０５を通過して劇場スクリーン６０７に映写する変調された画像コンテンツを映写するメインの映写機６０１と、変調されたコンテンツの監視および記録、オリジナルの画像コンテンツを変調したものを含む、ビデオ・フィード６０９を通信する、フィードバック・カメラ６０３が設けられる。
【００４９】
図７は、本発明の実施の形態に係る図６のシステムのより詳細な図を描いている。即ち、図７において、ビデオ入力７０１は、メインの映写機７００の制御ユニット７０２に通信され、「通常の処理」が行われ、スクリーン上に表示される画像コンテンツが提供される。次に、処理されたコンテンツは、画像分析器７０９によって分析され、メインの映写機７００に映写されるビデオカメラ対策コンテンツ（例えば、変調したもの）のタイプ／構造／レイアウトを決定する。同時に、処理された画像コンテンツがディスプレイ有効化モジュール７１５に出力される。ディスプレイ有効化モジュール７１５は、以下により詳細に説明する確認処理の結果に依存して、スクリーン上への表示、映写を有効化、または、無効化する。監視されたサンプリング対策コンテンツが正しいものであると確認されると仮定すると、処理された画像コンテンツがモジュール７１５によって有効化され、視聴のために、スクリーンに出力される（出力７２５）。
【００５０】
図７のシステムにおいては、変調器７１１は、画像分析器７０９と動作可能に結合され、通信しており、オリジナルの画像コンテンツを変調したもの、さらに、オプションとして、セキュリティ・プロセッサから画像分析器に入力されたキー７２７を使用した、特別なキーの暗号化により変調したものからなるビデオ・フィードを提供する。キー７２７は、キー無しでは生成も検出もできないような、キー暗号化により変調したものの生成、検出を容易にする、追加的なセキュリティ手段を提供する。
【００５１】
変調されたビデオカメラ対策コンテンツおよびキー暗号化された変調は、プロセッサ７０７に通信され、確認処理によりコンテンツが承認されると仮定すると、このコンテンツはディスプレイ有効化モジュール７１５によって有効化され、スクリーン上にオリジナルの画像コンテンツとともに出力される（出力７２５）。
【００５２】
上述したように、図７のシステムにおいては、確認処理には、スクリーン上に表示されているコンテンツ（フィードバック画像入力７０４）を記録するために設けられるフィードバック装置７０３を含めることができる。フィードバック画像は、スクリーン上の例えば、コードが含まれている部分に隔離されていてもよいし、ピクチャ・コンテンツ全体を評価するためにスクリーン全体をカバーするものであってもよい。
【００５３】
本発明の様々な実施の形態においては、フィードバック装置７０３には、ＵＳＢカメラなどの単純な検出器を含めることができ、また、オプションとして、記録されたコンテンツを暗号化するための、暗号化器７１９を含めることができる。記録されたコンテンツは、セキュリティ・プロセッサ７１３に通信され、ここで、記録されたコンテンツは、復号器７１７によって復号、分析され、予期されたコンテンツと比較される。セキュリティ・プロセッサ７１３は、セキュリティがアクティブであるかどうか（即ち、予期されたパラメータに従っているかどうか）を判定する。決定結果は、ディスプレイ有効化モジュール７１５に送信され、ディスプレイ有効化モジュール７１５は、これに応じて、画像コンテンツを有効化、または、無効化する。
【００５４】
図１のフィードバック装置７０３などのような、本発明のフィードバック装置７０３は、本発明の様々な実施の形態において、リアルタイムでスクリーン上で再生されるコンテンツを記録するために、各映写スクリーンの近傍に設けられる。本発明の様々な実施の形態においては、フィードバック装置の記録したコンテンツは、オプションとして、上述した海賊行為を思い止まらせるために暗号化することができる。フィードバック装置（カメラ）は、高い解像度である必要がなく、高いフレーム・レートを有する必要がなく、高度なセキュリティさえも必要としないため、本発明の様々な実施の形態のフィードバック・システムのコストを低いままにすることができる。少なくとも以下の理由で、フィードバック装置は、極めて高度なセキュリティ・システムである必要はない。
【００５５】
１．カメラは、低コストでよく、従って、通常、低品質のビデオを作製するため、海賊行為によるコピーには望ましくない。
２．ビデオカメラ対策コンテンツが適用され、適切に動作する場合、カメラの記録したコンテンツは、ビデオカメラ対策コンテンツで「品質が劣化される」ため、海賊行為には適さない視聴できないコンテンツである。
３．セキュリティ確認処理は、リアルタイムのシステムであるため、コンテンツの各フレームは、独自のものである。従って、単純で基本的な処理技術を使用して、映画のオリジナルのコンテンツとフィードバック・カメラによって記録中の画像との間の何らかの相関をチェックすることができる。シーン変更検出のような単純な技術を用いて、フィードバック画像コンテンツが画面上で表示されるリアルタイムな画像からのフィードバック画像コンテンツであることを確認するために使用される。
４．例えば、ケーブルを介して画像コンテンツが暗号化されるため、不正な行為に強いシステムである。さらに、暗号化は、単純で低コストであるため、このような低解像度でビデオカメラ対策を施された／変更されたコンテンツの暗号を解除しようとする動機はほとんど発生しないであろう。
５．フィードバック・カメラの出力には、映画の１フレーム毎に、少数のサンプル・フレームを含めるように制限し、フィードバック・カメラの記録したコンテンツの出力に意図的に「ジッタ（ｊｉｔｔｅｒ）」を作成することができる。フィードバック・カメラから、海賊行為の目的で使用される映画を記録したコピーを作成できないようにするために、映画コンテンツのフレーム・レートから、フレーム・レートを変更することができる。
【００５６】
図８は、本発明の実施の形態に従って、リアルタイムにビデオカメラ対策コンテンツの提供および確認を行う方法のフロー図である。図８の方法は、ステップ８０１で始まり、このステップ８０１において、ビデオ・コンテンツが分析され、コンテンツに追加されるサンプリング対策コンテンツが決定される。次に、この方法は、ステップ８０３に進む。
【００５７】
ステップ８０３において、サンプリング対策コンテンツと、オプションとして、キー暗号化されたサンプリング対策コンテンツが作成される。この方法は、次に、ステップ８０５に進む。
【００５８】
ステップ８０５において、作成されたサンプリング対策コンテンツおよびオプションのキー暗号化されたコンテンツが、画像コンテンツに追加／映写される。次に、この方法は、ステップ８０７またはステップ８０８に進む。
【００５９】
代替的には、ステップ８０７において、追加のセキュリティ・データが、（例えば、赤外線フィルタを用いて、）例えば、別個の信号または、チャネルの形態で作成され、サンプリング対策画像コンテンツに追加される。次に、この方法は、ステップ８０８に進む。
【００６０】
ステップ８０８において、サンプリング対策コンテンツを有する画像コンテンツ、さらに、オプションである追加セキュリティ・データが適用される場合には、このセキュリティ・データが表示のためにスクリーン上に映写される。次に、この方法は、ステップ８０９に進む。
【００６１】
ステップ８０９において、スクリーン上に表示された画像コンテンツが記録され、オプションとして、リアルタイムに暗号化される。次に、この方法は、ステップ８１１に進む。
【００６２】
ステップ８１１において、記録されたコンテンツが復号（暗号解除）され、上述したように処理される。次に、この方法は、ステップ８１３に進む。
【００６３】
ステップ８１３において、ビデオカメラ対策セキュリティが現在アクティブであるかどうか（例えば、フィードバック画像コンテンツが、実際のサンプリング対策コンテンツにオリジナルの画像コンテンツを加えたものである「予期されたコンテンツ」と一致するかどうか）が判定される。ビデオカメラ対策セキュリティが現在アクティブではないと判定された場合、方法はステップ８１７に進み、この時点で、画像コンテンツのスクリーン上への映写が中断する。ビデオカメラ対策セキュリティが現在アクティブであると判定された場合、方法は、ステップ８１４に進む。
【００６４】
ステップ８１４において、ステップ８０７に記載されたオプションの追加セキュリティ・データが追加されたかどうかが判定される。オプションのセキュリティ・データが追加されていない場合には、スクリーン上へのサンプリング対策コンテンツを有する画像コンテンツの映写が中断することなく、続けられる。オプションのセキュリティ・データが追加された場合には、方法は、ステップ８１５に進む。
【００６５】
ステップ８１５において、セキュリティ・データが記録されたコンテンツから取得され、元の追加されたセキュリティ・データと比較される。次に、追加されたセキュリティ・データが取得されたセキュリティ・データと一致するかどうかが判定される。一致していない場合には、方法は、ステップ８１７に戻り、スクリーンに対する画像コンテンツの映写が中断する。元の追加されたセキュリティ・データが取得されたセキュリティ・データと一致する場合には、サンプリング対策コンテンツを有する画像コンテンツのスクリーン上への映写が中断することなく続けられる。ここで、この方法は終了する。
【００６６】
海賊行為対策としての保護および確認を行うシステムを提供する方法、装置、およびシステムについての好ましい実施の形態について説明したが（このような実施の形態は例示的なものであり、限定的なものではなく）、上述した開示内容に鑑み、当業者であれば、改変や変形を施すことができることを理解されたい。従って、開示する原理の特定の発明の実施の形態において行われる各変更は、付随する請求項に概略的に記載された本発明の原理の範囲および精神に含まれるものである。本発明の詳細について、特許法による特定の要求に従って説明を行ったが、特許により保護を求める権利内容は、付随する各請求項に記載されている。
【図１】
2011508986.tif 000003
【図２】
2011508986.tif 000004
【図３】
2011508986.tif 000005
【図４】
2011508986.tif 000006
【図５】
2011508986.tif 000007
【図６】
2011508986.tif 000008
【図７】
2011508986.tif 000009
【図８】
2011508986.tif 000010
【国際調査報告】
2011508986.tif 000011
2011508986.tif 000012